(57)【要約】【課題】音声データに誤りが生じた場合でも、出力音の品質劣化を抑制することが可能な復号処理回路および移動端末装置を提供する。【解決手段】ＡＡＣデコーダ６１は、ＡＡＣデータから低中域の周波数帯域のＰＣＭデータＬＭを復元し、この復元したＰＣＭデータＬＭと、残るＳＢＲデータをＳＢＲデコーダ６２に出力する。ＳＢＲデコーダ６２は、制御部６０の指示に従って、ＰＣＭデータＬＭの修正処理、ＰＣＭデータＬＭのアップサンプリングおよびＳＢＲデータに基づく高域拡張処理を行って、高域の周波数帯域のＰＣＭデータＨを得る。制御部６０は、ＡＡＣデータやＳＢＲデータに誤りが生じていないかを判定し、この判定結果に基づいて、ＳＢＲデコーダ６２を制御し、ＰＣＭデータＬＭの修正処理や、ＰＣＭデータＬＭのアップサンプリングおよびＳＢＲデータに基づく高域拡張処理を行うようにしたものである。【選択図】    図１
2005024756.tif 000002
【特許請求の範囲】
【請求項１】
第１の周波数帯域の第１音声データと第２の周波数帯域の第２音声データとを有する音声データを復号する復号処理回路において、
前記第１音声データを復号し、この復号したものを第１復号データとして出力する第１の復号手段と、
前記第１復号データを第２の周波数帯域にサンプリングするサンプリング手段と、
前記第２音声データを復号する第２の復号手段と、
前記第２音声データに誤りが生じているか否かを判定する第２音声データ判定手段と、
この第２音声データ判定手段が誤りが生じていると判定した場合に、前記サンプリング手段のサンプリング結果を第２復号データとして出力し、一方、前記第２音声データ判定手段が誤りが生じていないと判定した場合には、前記サンプリング手段のサンプリング結果と前記第２の復号手段の復号結果とに基づいて第２の復号データを生成して出力する復号制御手段と、
前記第１の復号手段が出力する第１復号データと、前記復号制御手段が出力する第２復号データとに基づいて、第１の周波数帯域の音声情報と第２の周波数帯域の音声情報を有する復号データを生成する復号データ生成手段とを具備することを特徴とする復号処理回路。
【請求項２】
さらに、前記第１音声データに誤りが生じているか否かを判定する第１音声データ判定手段と、
この第１音声データ判定手段が誤りが生じていると判定した場合に、第１音声データを生成する音声データ生成手段とを備え、
前記第１の復号手段は、前記第１音声データ判定手段が誤りが生じていると判定した場合に、前記音声データ生成手段が生成した第１音声データを復号し、この復号したものを第１復号データとして出力することを特徴とする請求項１に記載の復号処理回路。
【請求項３】
前記音声データ生成手段は、
前記第１の復号手段が出力する第１復号データを複数サンプル記憶する記憶手段と、
前記第１音声データ判定手段が誤りが生じていると判定した場合に、前記記憶手段が記憶している過去の第１復号データと、後続の第１復号データとに基づいて、第１復号データを生成する生成手段とを備えることを特徴とする請求項２に記載の復号処理回路。
【請求項４】
さらに、前記第２音声データ判定手段が誤りが生じていると判定した場合に、第２音声データを生成する音声データ生成手段を備え、
前記第２の復号手段は、前記第２音声データ判定手段が誤りが生じていると判定した場合に、前記音声データ生成手段が生成した第２音声データを復号することを特徴とする請求項１に記載の復号処理回路。
【請求項５】
前記音声データ生成手段は、
前記第２の復号手段が出力する第２復号データを複数サンプル記憶する記憶手段と、
前記第２音声データ判定手段が誤りが生じていると判定した場合に、前記記憶手段が記憶している過去の第２復号データと、後続の第２復号データとに基づいて、第２復号データを生成する生成手段とを備えることを特徴とする請求項４に記載の復号処理回路。
【請求項６】
さらに、前記第２音声データ判定手段が誤りが生じていると判定した場合に、前記復号データ生成手段が生成した復号データの音量レベルを制御する音量レベル制御手段を備えることを特徴とする請求項１に記載の復号処理回路。
【請求項７】
前記音量レベル制御手段は、
前記復号データ生成手段が生成した復号データの音量レベルを検出する音量レベル検出手段と、
この音量レベル検出手段が検出した音量レベルを複数サンプル記憶する記憶手段と、
前記第２音声データ判定手段が誤りが生じていると判定した場合に、前記記憶手段が記憶している音量レベルのデータに基づいて音量レベルを予測し、この予測した音量レベルに基づいて前記復号データ生成手段が生成した復号データの音量レベルを制御するレベル制御手段とを備えることを特徴とする請求項６に記載の復号処理回路。
【請求項８】
第１の周波数帯域の第１音声データと第２の周波数帯域の第２音声データとを有する音声データを受信して再生する移動端末装置において、
前記第１音声データを復号し、この復号したものを第１復号データとして出力する第１の復号手段と、
前記第１復号データを第２の周波数帯域にサンプリングするサンプリング手段と、
前記第２音声データを復号する第２の復号手段と、
前記第２音声データに誤りが生じているか否かを判定する第２音声データ判定手段と、
この第２音声データ判定手段が誤りが生じていると判定した場合に、前記サンプリング手段のサンプリング結果を第２復号データとして出力し、一方、前記第２音声データ判定手段が誤りが生じていないと判定した場合には、前記サンプリング手段のサンプリング結果と前記第２の復号手段の復号結果とに基づいて第２の復号データを生成して出力する復号制御手段と、
前記第１の復号手段が出力する第１復号データと、前記復号制御手段が出力する第２復号データとに基づいて、第１の周波数帯域の音声情報と第２の周波数帯域の音声情報を有する復号データを生成する復号データ生成手段とを具備することを特徴とする移動端末装置。
【発明の詳細な説明】
【０００１】
【発明の属する技術分野】
この発明は、例えばディジタル放送システムやディジタル移動通信システムで使用されるディジタル情報受信装置において、符号誤りを補償して復号を行う復号処理回路に関する。
【０００２】
【従来の技術】
周知のように、ディジタル放送システムやディジタル移動通信システムには、低域と中域の周波数帯域の音声情報を有するコア部と、高域の周波数帯域の音声情報を有する高域拡張部とを備える音声・オーディオ信号を用いることで、低域から高域までの音声・オーディオ情報を伝送することを可能にするものがある。
【０００３】
このようなデータフォーマットの音声・オーディオ信号の一例を図２に示す。この図は、ＡＡＣ（Ａｄｖａｎｃｅｄ  Ａｕｄｉｏ  Ｃｏｄｉｎｇ）＋ＳＢＲ（Ｓｐｅｃｔｒａｌ  Ｂａｎｄ  Ｒｅｐｌｉｃａｔｉｏｎ）ストリームフォーマットにおける１フレーム内のシンタックスを示している。上述のコア部にＡＡＣデータが相当し、高域拡張部にＳＢＲデータが相当する。
【０００４】
音声データに誤りが生じた場合、出力音の品質が劣化するが、上述したようなデータフォーマットの音声データに誤りが生じた場合については十分な検討がなされておらず、適切な誤り補償を行う技術の確立が切望されている。
【０００５】
なお、例えば特許文献１には、ＡＡＣデータのフレームについて、誤り補償したフレームとその前後のフレームとの間で相関性を高めることで受信データの品質を高く保つ誤り補償回路を示す技術が開示されている。
【０００６】
【特許文献１】
特開２００１−３３９３６８公報。
【０００７】
【発明が解決しようとする課題】
従来においては、低域と中域の周波数帯域の音声情報を有するコア部や、高域の周波数帯域の音声情報を有する高域拡張部とを備える音声データに誤りが生じた場合について、十分な検討がなされておらず、適切な誤り補償を行う技術の確立が切望されていた。
【０００８】
この発明は上記の要望に応えるべくなされたもので、低域と中域の周波数帯域の音声情報を有するコア部や、高域の周波数帯域の音声情報を有する高域拡張部とを備える音声データに誤りが生じた場合に、出力音の品質劣化を抑制することが可能な復号処理回路および移動端末装置を提供することを目的とする。
【０００９】
【課題を解決するための手段】
上記の目的を達成するために、この発明は、第１の周波数帯域の第１音声データと第２の周波数帯域の第２音声データとを有する音声データを復号する復号処理回路において、第１音声データを復号し、この復号したものを第１復号データとして出力する第１の復号手段と、第１復号データを第２の周波数帯域にサンプリングするサンプリング手段と、第２音声データを復号する第２の復号手段と、第２音声データに誤りが生じているか否かを判定する第２音声データ判定手段と、この第２音声データ判定手段が誤りが生じていると判定した場合に、サンプリング手段のサンプリング結果を第２復号データとして出力し、一方、第２音声データ判定手段が誤りが生じていないと判定した場合には、サンプリング手段のサンプリング結果と第２の復号手段の復号結果とに基づいて第２の復号データを生成して出力する復号制御手段と、第１の復号手段が出力する第１復号データと、復号制御手段が出力する第２復号データとに基づいて、第１の周波数帯域の音声情報と第２の周波数帯域の音声情報を有する復号データを生成する復号データ生成手段とを具備して構成するようにした。
【００１０】
またこの発明では、第１の周波数帯域の第１音声データと第２の周波数帯域の第２音声データとを有する音声データを受信して再生する移動端末装置において、第１音声データを復号し、この復号したものを第１復号データとして出力する第１の復号手段と、第１復号データを第２の周波数帯域にサンプリングするサンプリング手段と、第２音声データを復号する第２の復号手段と、第２音声データに誤りが生じているか否かを判定する第２音声データ判定手段と、この第２音声データ判定手段が誤りが生じていると判定した場合に、サンプリング手段のサンプリング結果を第２復号データとして出力し、一方、第２音声データ判定手段が誤りが生じていないと判定した場合には、サンプリング手段のサンプリング結果と第２の復号手段の復号結果とに基づいて第２の復号データを生成して出力する復号制御手段と、第１の復号手段が出力する第１復号データと、復号制御手段が出力する第２復号データとに基づいて、第１の周波数帯域の音声情報と第２の周波数帯域の音声情報を有する復号データを生成する復号データ生成手段とを具備して構成するようにした。
【００１１】
上記構成の復号処理回路および移動端末装置では、第２音声データに誤りが生じている場合に、第１音声データを復号した第１復号データを第２の周波数帯域にサンプリングしたものを第２復号データとし、一方、第２音声データに誤りが生じていない場合には、第１復号データを第２の周波数帯域にサンプリングしたものと第２音声データを復号したものとに基づいて第２復号データを生成する。そして、第１復号データと第２復号データとに基づいて、第１の周波数帯域の音声情報と第２の周波数帯域の音声情報を有する復号データを生成するようにしている。
【００１２】
したがって、上記構成の復号処理回路および移動端末装置によれば、第１の周波数帯域の第１音声データと第２の周波数帯域の第２音声データとを有する音声データを復号する場合に、第２音声データに誤りが生じているか否かに応じて、第１復号データと第２復号データを選択的に用いて第２復号データを生成するようにしているので、音声データに誤りが生じた場合でも出力音の品質劣化を抑制することができる。
【００１３】
【発明の実施の形態】
以下、図面を参照して、この発明の一実施形態について説明する。
図１は、この発明の一実施形態に係わる復号処理回路を備えた移動端末装置の構成を示すものである。この移動端末装置は、図示しないディジタル放送システムやディジタル移動通信システムの放送局から送信された放送信号を受信し、映像と音声を再生するものである。
【００１４】
この移動端末装置は、アンテナ１、ＲＦ部２、データ分離部３、映像データ処理部４、表示部５、音声・オーディオデータ処理部６およびスピーカ７を備える。なお、ここでは、音声・オーディオ信号の一例として、図２に示すようなＡＡＣ（Ａｄｖａｎｃｅｄ  Ａｕｄｉｏ  Ｃｏｄｉｎｇ）＋ＳＢＲ（Ｓｐｅｃｔｒａｌ  Ｂａｎｄ  Ｒｅｐｌｉｃａｔｉｏｎ）ストリームフォーマットの音声・オーディオデータを扱う場合を例に挙げて説明する。
【００１５】
アンテナ１は、上記放送局から送信された放送信号を空間から受信し、ＲＦ部２に出力する。ＲＦ部２は、上記放送信号をベースバンド信号に変換した後、復調処理を行い、受信データを抽出する。この受信データは、データ分離部３にて映像データと音声・オーディオデータとに分けられ、映像データは映像データ処理部４に出力され、一方、音声・オーディオデータは音声・オーディオデータ処理部６に出力される。
【００１６】
映像データ処理部４は、上記映像データを復号し、圧縮処理が施されたデータを伸張して映像信号に変換する。この映像信号は、表示部５に出力されて、ユーザに映示される。
【００１７】
一方、音声・オーディオデータ処理部６は、誤り補償機能を備え、音声・オーディオデータを復号してアナログ音声信号変換し、スピーカ７より拡声出力するものであって、制御部６０、ＡＡＣデコーダ６１、ＳＢＲデコーダ６２、およびＰＣＭ音源６３を備える。
【００１８】
ＡＡＣデコーダ６１は、制御部６０の指示に従って、図２に示したような音声・オーディオデータのうち、ＡＡＣデコード情報に基づく復号処理を行って、図３に示すような低域から中域の周波数帯域ｆ１のＰＣＭデータＬＭを復元し、この復元したＰＣＭデータＬＭと、残るＳＢＲデコード情報（ＦＩＬＬ  Ｅｌｅｍｅｎｔ）とをＳＢＲデコーダ６２に出力する。
【００１９】
なお、ＡＡＣデコード情報は、ヘッダ（Ｈｅａｄｅｒ）、ＣＲＣデータ（ＣＲＣ１）、およびＡＡＣデータとからなる。ＣＲＣデータ（ＣＲＣ１）は、ＡＡＣデータの一部を保護する。ＳＢＲデコード情報は、識別情報（ＩＤ）、ＣＲＣデータ（ＣＲＣ２）、ＳＢＲデータとからなる。ＣＲＣデータ（ＣＲＣ２）は、ＳＢＲデータのすべてを保護する。詳細については、ＩＳＯ／ＩＥＣ  １４４９６−３およびＩＳＯ／ＩＥＣ  ＪＴＣ１／ＳＣ２９／ＷＧ１１  ＭＰＥＧ２００２／Ｍ７９４３を参照のこと。
【００２０】
ＳＢＲデコーダ６２は、制御部６０の指示に従って、ＰＣＭデータＬＭの修正処理や、ＰＣＭデータＬＭをアップサンプリング、ＳＢＲデコード情報に基づく高域拡張処理を行って、図３に示すような高域の周波数帯域ｆ２のＰＣＭデータＨを得る。そして、ＰＣＭデータＬＭとＰＣＭデータＨとを合成し、ＰＣＭ音源６３に出力する。詳細な構成については後述する。
【００２１】
ＰＣＭ音源６３は、ＳＢＲデコーダ６２から出力されるＰＣＭデータに基づいて、アナログ音声信号を再生するものである。このアナログ音声信号は図示しない増幅器で増幅された後、スピーカ７より拡声出力される。
【００２２】
制御部６０は、音声・オーディオデータ処理部６の各部を統括して制御するものであって、ＣＲＣデータ（ＣＲＣ１）に基づいてＡＡＣデータに誤りが生じているかいないかの判定、ＣＲＣデータ（ＣＲＣ２）に基づいてＳＢＲデータに誤りが生じているかいないかの判定を行い、この判定結果に基づいて、ＡＡＣデコーダ６１およびＳＢＲデコーダ６２の動作制御を行う。
【００２３】
図４は、ＳＢＲデコーダ６２の構成を示すものである。ＳＢＲデコーダ６２は、ＱＭＦ（Ｑｕａｄｒａｔｕｒｅ  Ｍｉｒｒｏｒ  Ｆｉｌｔｅｒ）分析部６２１、切替スイッチ６２２、ＨＦ（Ｈｉｇｈ  Ｆｒｅｑｕｅｎｃｙ）生成部６２３、エンベロープ補正部６２４およびＱＭＦ合成部６２５を備える。
【００２４】
ＱＭＦ分析部６２１は、帯域分割フィルタバンクであって、後述するＱＭＦ合成部６２５における作用とにより、ＡＡＣデコーダ６１から出力されるデータ信号をアップサンプリングするものである。なお、ＱＭＦ分析部６２１から出力される高域の周波数帯域のＰＣＭデータＨは「０」データが設定される。
【００２５】
切替スイッチ６２２は、上記制御部６０によって切替制御され、ＱＭＦ分析部６２１から出力されるデータ信号を、ＨＦ生成部６２３あるいはＱＭＦ合成部６２５に選択的に出力する。
【００２６】
ＨＦ生成部６２３は、切替スイッチ６２２を通じてＰＣＭデータＬＭ、ＰＣＭデータＨおよびＳＢＲデコード情報が入力され、このＳＢＲデコード情報内のＳＢＲデータに基づく高域拡張処理を実施する。そして、ＨＦ生成部６２３は、ＰＣＭデータＨ内の「０」データを上記高域拡張処理によって得た高域情報に置き換え、ＰＣＭデータＬＭとともにエンベロープ補正部６２４に出力する。
【００２７】
エンベロープ補正部６２４は、ＨＦ生成部６２３から出力されるＰＣＭデータＬＭおよびＰＣＭデータＨにエンベロープ補正を行い、これにより補正したＰＣＭデータＬＭおよびＰＣＭデータＨをＱＭＦ合成部６２５に出力する。
【００２８】
ＱＭＦ合成部６２５は、帯域分割フィルタバンクであって、前述のＱＭＦ分析部６２１における作用とにより、ＡＡＣデコーダ６１から出力されるデータ信号をアップサンプリングするものであって、切替スイッチ６２２あるいはエンベロープ補正部６２４から出力されるＰＣＭデータＬＭおよびＰＣＭデータＨを合成し、低域から高域までのＰＣＭデータを合成する。
【００２９】
次に、上記構成の移動端末装置の動作について説明する。ここでは、、映像データの再生処理については説明を省略し、音声・オーディオデータの再生処理について説明し、特に音声・オーディオデータの誤り補償に関する制御動作を中心に説明する。
【００３０】
図５は、制御部６０の制御動作を説明するフローチャートであって、以下このフローチャートにしたがって説明する。なお、制御部６０は、この図に示す処理を、図２に示したようなフレーム単位で実施する。
【００３１】
まず、ステップ５ａにおいて制御部６０は、データ分離部３から与えられる音声・オーディオデータを検査する。ここで、制御部６０は、ＡＡＣデータについてはＣＲＣデータ（ＣＲＣ１）に基づいて、誤りが生じているか否かを判定し、一方、ＳＢＲデータについてはＣＲＣデータ（ＣＲＣ２）に基づいて、誤りが生じているか否かを判定する。判定が完了すると、ステップ５ｂに移行する。
【００３２】
ステップ５ｂにおいて制御部６０は、ステップ５ａにてＡＡＣデータに誤りが生じていると判定した場合には、ステップ５ｃに移行し、一方、誤りが生じていないと判定した場合には、ステップ５ｄに移行する。
【００３３】
ステップ５ｃにおいて制御部６０は、誤りが生じているＡＡＣデータに対して修正処理を実施し、ステップ５ｄに移行する。この修正処理は、例えば現在のフレームの前後のフレーム内の正しいＡＡＣデータを利用して、これらのＡＡＣデータと相関性の高いＡＡＣデータを生成する。
【００３４】
この修正処理の詳細は、本願発明者を発明者とする特開２００１−３３９３６８に詳述されている。この修正処理により生成されたＡＡＣデータは、ＡＡＣデコーダ６１に出力される。これに対して、ＡＡＣデコーダ６１は、データ分離部３から与えられるＡＡＣデータに代わって、制御部６０から与えられるＡＡＣデータを用いる。
【００３５】
ステップ５ｄにおいて制御部６０は、ステップ５ａにてＳＢＲデータに誤りが生じていると判定した場合には、ステップ５ｅに移行し、一方、誤りが生じていないと判定した場合には、ステップ５ｆに移行する。
【００３６】
ステップ５ｅにおいて制御部６０は、切替スイッチ６２２を切替制御して、ＱＭＦ分析部６２１の出力をＱＭＦ合成部６２５に入力するようにする。これにより、ＳＢＲデコーダ６２では、ＰＣＭデータＬＭに基づくアップサンプリングのみがなされたＰＣＭデータが生成され、ＰＣＭ音源６３に出力される。
【００３７】
ステップ５ｆにおいて制御部６０は、切替スイッチ６２２を切替制御して、ＱＭＦ分析部６２１の出力をＨＦ生成部６２３に入力するようにする。これにより、ＳＢＲデコーダ６２では、ＰＣＭデータＬＭに基づくアップサンプリングと、ＳＢＲデコード情報内のＳＢＲデータに基づく高域拡張処理がなされたＰＣＭデータが生成され、ＰＣＭ音源６３に出力される。
【００３８】
以上のように、上記構成の移動端末装置では、ＡＡＣデータに誤りがある場合には、ＡＡＣデータの修正を行う。そして、ＳＢＲデータに誤りがある場合には、ＡＡＣデータに基づいて生成した中低域の周波数帯域のＰＣＭデータＬＭをアップサンプリングして高域の周波数帯域のＰＣＭデータＨを生成し、一方、ＳＢＲデータに誤りがない場合には、上記ＰＣＭデータＬＭをアップサンプリングするとともに、ＳＢＲデータに基づく高域拡張処理を行って、高域の周波数帯域のＰＣＭデータＨを生成するようにしている。
【００３９】
したがって、上記構成の移動端末装置によれば、ＡＡＣデータやＳＢＲデータに誤りが発生した場合に、誤りの発生パターンに応じて高域の周波数帯域のＰＣＭデータＨを生成するようにしているので、音声データに誤りが生じた場合でも出力音の品質劣化を抑制することができる。
【００４０】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４１】
その一例として例えば、図６に示すように、ＳＢＲデコーダ６２とＰＣＭ音源６３との間にレベル調整部６４を設け、制御部６０の制御により、ＳＢＲデータに誤りが生じていた場合に、ＳＢＲデコーダ６２から出力されるＰＣＭデータの音量レベルを上げるように制御するようにしてもよい。
【００４２】
このような制御によれば、ＳＢＲデータに誤りが生じていた場合にはアップサンプリングのみが行われるが、アップサンプリングのみで高域拡張処理が行われないために出力音のレベルが減衰することを防止できる。このような出力音のレベル減衰は、聴感上、１００ミリ秒以上に相当するデータ誤りが生じると顕著になることが当該発明者らによって確認されている。
【００４３】
以下、レベル調整部６４の具体的なレベル調整処理について説明する。
ＳＢＲデータに誤りが生じていない場合には、ＨＦ生成部６２３の高域拡張処理によりＳＢＲデコーダ６２から出力されるＰＣＭデータには相対的な音量レベルの落ち込みは生じないため、レベル調整部６４は、制御部６０の制御により、上記ＰＣＭデータが有する音量レベルを測定して保存し、音量レベル調整を行うことなく上記ＰＣＭデータをＰＣＭ音源６３に出力する。
【００４４】
一方、ＳＢＲデータに誤りが生じている場合には、ＱＭＦ分析部６２１およびＱＭＦ合成部６２５によるアップサンプリングだけが行われるため、ＳＢＲデコーダ６２から出力されるＰＣＭデータには相対的な音量レベルの落ち込みが生じる。このため、レベル調整部６４は、制御部６０の制御により、保存しておいた過去のフレームの音量レベルの推移から適正な音量レベルを予測し、この音量レベルとなるように現在のフレームの音量レベル調整を行い、上記ＰＣＭデータをＰＣＭ音源６３に出力する。したがって、現フレームのレベルが、過去のレベル推移から予測した値よりも小さい場合には、現フレームレベルを予測値まで増幅させて最終出力ＰＣＭとする。一方、現フレームのレベルが、過去のレベル推移から予測した値よりも大きい場合には、現フレームの信号はもともとレベルの大きい信号であると判断され、レベル調節を行わずにそのまま最終出力されることになる。
【００４５】
また上記実施の形態では、ＡＡＣデータに誤りがある場合に、このデータの修正を行うようにしたが、これに加えて、ＳＢＲデータに誤りがある場合に、このデータの修正を行うようにして高域拡張処理を行うようにしてもよい。このような処理を行うＳＢＲデコーダ６２の構成の一例を図７に示す。
【００４６】
この構成では、ＳＢＲデータに誤りがない場合には、図４の構成と同様に、切替スイッチ６２２を制御部６０が制御してＱＭＦ分析部６２１の出力をＨＦ生成部６２３に出力させるとともに、新たに設けたＳＢＲデータ修正部６２６に出力する。そして、ＳＢＲデータ修正部６２６は、正しいＳＢＲデータを保存する。
【００４７】
一方、ＳＢＲデータに誤りがある場合には、切替スイッチ６２２を制御部６０が制御してＱＭＦ分析部６２１の出力をＳＢＲデータ修正部６２６に出力させる。そして、ＳＢＲデータ修正部６２６は、ＳＢＲデータの修正処理を行い、修正したＳＢＲデータと、ＱＭＦ分析部６２１から出力されたＰＣＭデータＬＭをＨＦ生成部６２３に出力する。
ＳＢＲデータ修正部６２６におけるＳＢＲデータの修正処理は、保存しておいた現在のフレームの前後のフレーム内の正しいＳＢＲデータを利用して、これらのＳＢＲデータと相関性の高いＳＢＲデータを生成することにより行う。
【００４８】
さらに、上記実施の形態では、低中域の周波数帯域のＰＣＭデータＬＭから高域の周波数帯域のＰＣＭデータＨを生成する復号方式の場合を例に挙げて説明したが、逆にダウンサンプリングと低域拡張処理により、高域の周波数帯域のＰＣＭデータＨから低中域の周波数帯域のＰＣＭデータＬＭを生成する復号方式に適用することも可能である。
その他、この発明の要旨を逸脱しない範囲で種々の変形を施しても同様に実施可能であることはいうまでもない。
【００４９】
【発明の効果】
以上述べたように、この発明では、第２音声データに誤りが生じている場合に、第１音声データを復号した第１復号データを第２の周波数帯域にサンプリングしたものを第２復号データとし、一方、第２音声データに誤りが生じていない場合には、第１復号データを第２の周波数帯域にサンプリングしたものと第２音声データを復号したものとに基づいて第２復号データを生成する。そして、第１復号データと第２復号データとに基づいて、第１の周波数帯域の音声情報と第２の周波数帯域の音声情報を有する復号データを生成するようにしている。
【００５０】
したがって、この発明によれば、第１の周波数帯域の第１音声データと第２の周波数帯域の第２音声データとを有する音声データを復号する場合に、第２音声データに誤りが生じているか否かに応じて、第１復号データと第２復号データを選択的に用いて第２復号データを生成するようにしているので、音声データに誤りが生じた場合でも出力音の品質劣化を抑制することが可能な復号処理回路および移動端末装置を提供できる。
【図面の簡単な説明】
【図１】この発明に係わる移動端末装置の一実施の形態の構成を示す回路ブロック図。
【図２】図１に示した移動端末装置で扱う音声・オーディオデータのフレームフォーマットの一例を示す図。
【図３】ＡＡＣデコード情報とＳＢＲデコード情報とに基づいて復元される音声データの周波数分布を示す図。
【図４】図１に示した移動端末装置のＳＢＲデコーダの構成を示す回路ブロック図。
【図５】図１に示した移動端末装置の音声・オーディオデータ処理部の動作を説明するためのフローチャート。
【図６】図１に示した移動端末装置の変形例の構成を示す回路ブロック図。
【図７】図１に示した移動端末装置のＳＢＲデコーダの変形例の構成を示す回路ブロック図。
【符号の説明】
１…アンテナ、２…ＲＦ部、３…データ分離部、４…映像データ処理部、５…表示部、６…音声・オーディオデータ処理部、７…スピーカ、６０…制御部、６１…ＡＡＣデコーダ、６２…ＳＢＲデコーダ、６３…ＰＣＭ音源、６４…レベル調整部、６２１…ＱＭＦ分析部、６２２…切替スイッチ、６２３…ＨＦ生成部、６２４…エンベロープ補正部、６２５…ＱＭＦ合成部、６２６…ＳＢＲデータ修正部。
【図１】
2005024756.tif 000003
【図２】
2005024756.tif 000004
【図３】
2005024756.tif 000005
【図４】
2005024756.tif 000006
【図５】
2005024756.tif 000007
【図６】
2005024756.tif 000008
【図７】
2005024756.tif 000009